(57)【特許請求の範囲】
【請求項１】
電話回線を用いて携帯電話からＬＡＮに接続されコンピュータを遠隔操作する為に使用するＬＡＮに接続される中継器であって、
電話回線経由にて携帯電話との交信をする交信回路と、
前記コンピュータのＭＡＣアドレスと携帯電話番号と暗証番号との１対１の対応を示すテーブルを記憶するメモリと、
携帯電話から前記中継器への電話回線接続時、前記交信回路を通して携帯電話から通知させた携帯電話番号および暗証番号を前記テーブルに登録されている携帯電話番号および暗証番号と比較する手段を有している中継器。
【請求項２】
前記テーブルは、利用者により前記コンピュータにて作成され、該コンピュータにインストールされているテーブル登録ツールにより、ＬＡＮを介して前記中継器のメモリに記憶することからなる請求項１に記載の中継器。
【請求項３】
前記携帯電話からの暗証番号を前記テーブルに登録されている暗証番号と比較し、連続３回不一致の場合に携帯電話と電話回線との接続を切断する請求項１ないし２に記載の中継器。
【請求項４】
電話回線およびＬＡＮに接続された中継器を用いて携帯電話からＬＡＮに接続されコンピュータを遠隔操作するシステムであって、
前記中継器は、電話回線経由にて携帯電話との交信をする交信回路と、乱数発生器と、暗号化手段と、コード認識手段と、該乱数発生器で発生された乱数値を記憶するメモリとを有し、該暗号化手段は前記メモリに記憶された乱数値をもとに暗号コードを発生し、該コード認識手段は前記交信回路を経由して入ってくる携帯電話からの指示コードを分析するものであって、
前記中継器は前記乱数値をＬＡＮを介して前記コンピュータのＬＡＮボードに送信して該ＬＡＮボードのメモリに記憶し、前記中継器がスタンバイ状態になったときに前記中継器のメモリに記憶された乱数値を更新し、更新した乱数値を前記コンピュータのＬＡＮボードに送信して該ＬＡＮボードのメモリに記憶されている乱数値を更新し、
携帯電話から前記中継器への電話回線接続時、携帯電話からの前記指示コードに基づいて、前記中継器はＭＡＣアドレス、指示コード、暗号コードを含むパケットを生成して前記コンピュータへ送信し、該コンピュータのＬＡＮボードは前記パケットに含まれる暗号コードを復号化して前記ＬＡＮボードのメモリに記憶されている乱数値と照合し、合致しているときに前記指示コードに応じた動作をするシステム。
【請求項５】
前記中継器のメモリは、さらに、前記コンピュータのＭＡＣアドレスと携帯電話番号と暗証番号との１対１の対応を示すテーブルを記憶していて、かつ、前記中継器はさらに携帯電話から通知させた携帯電話番号および暗証番号を前記テーブルに登録されている携帯電話番号および暗証番号と比較する手段を有し、前記中継器は、携帯電話から前記中継器への電話回線接続時、該携帯電話番号および暗証番号を前記テーブルに登録されている該携帯電話番号および暗証番号と比較し、これら番号が一致した場合に携帯電話から前記指示コードを入力させるようにした請求項４に記載のシステム。
【請求項６】
前記指示コードが、コンピュータを起動、もしくはシャットダウン、または、コンピュータの状態確認を含んでいる請求項４または５に記載のシステム。
【請求項７】
前記中継器が、最初はスタンバイモードであり、携帯電話が前記中継器と電話回線接続されると電話回線接続モードに遷移し、その後、利用者の携帯電話から送信される指示コードによりコンピュータ起動モード、シャットダウンモード、または状態確認モードのいずれかに遷移し、その後、指示完了モードに遷移し、また再びスタンバイモードに戻ることからなる請求項４ないし６のいずれかに記載のシステム。
【発明の詳細な説明】
【０００１】
【発明の属する技術分野】
本発明は、携帯電話からＬＡＮに接続されたコンピュータ（以下ＰＣと略称）を遠隔操作させる中継器に関し、特に電話回線接続時およびＰＣを起動等させるパケットのセキュリティを強化した中継器およびシステムに関する。
【０００２】
【従来の技術】
電話回線とＬＡＮの間を中継するブリッジ機器を使用して、ＰＣを遠隔操作する方法がある。そのような従来の技術の例が特開平１０−７９７５８に示されている。
【０００３】
上記特開平１０−７９７５８に記載しているものは、ＭＡＣアドレス−ＩＰアドレス−電話番号の組みを記述したテーブル（以下テーブルＡと称す）をブリッジ機器の内部に保有しており、ＭＡＣアドレスから接続すべき電話回線を選択し、その後ＩＰアドレスを使用してデータ送信や遠隔操作を行う機能がある。テーブルＡには遠隔地のＰＣへ接続するための電話番号があらかじめ登録されており、その電話番号をもとに接続するＰＣが決定される。この時、テーブルＡに登録されていない電話番号によるＰＣ接続はできない。
【０００４】
また、遠隔地のＰＣへの接続が可能になると、遠隔操作によりＰＣへのシャットダウンやＰＣの状態を知ることは可能である。
【０００５】
【発明が解決しようとする課題】
前記従来技術はいくつかの問題点を有する。第１の問題点は、電話回線接続時のセキュリティが不十分であり、前述のブリッジ機器を経由すれば、不正に遠隔地のＰＣに接続される危険性がある。
【０００６】
その理由は、前述のブリッジ機器には暗証番号の入力手段がないこと、したがって、また暗証番号を入力して連続３回不一致の場合における電話回線接続を中断するセキュリティ機能がない。またテーブルＡに登録されているＭＡＣアドレスを利用者以外の人がインクリメントするツール等を用いて取得できると、ブリッジ機器が自動的に遠隔地のＰＣに接続するため、利用者本人による接続なのか、それとも利用者以外の人による接続なのかの判断ができない。
【０００７】
第２の問題点は、ＰＣを起動等させるパケットに対してセキュリティが不十分であり、ＬＡＮアナライザ等によりそのパケットを不正コピー利用されると、ＰＣに不正にアクセスされる危険性がある。
【０００８】
その理由は、毎回異なる暗号コードがパケットに添加されていないため、ＰＣは不正コピーされたパケットにも反応し不正な遠隔操作も可能となるからである。
【０００９】
本発明は上記従来の技術が有する問題点を解決するためになされたもので、本発明による中継器およびシステムは、ＰＣを遠隔操作する分野において電話回線接続時のセキュリティおよび、ＰＣを起動等させるパケットのセキュリティ強化を目的とする。
【００１０】
【課題を解決するための手段】
前記第１の問題点を解決するための手段として、中継器はＰＣのＭＡＣアドレス−携帯電話番号−暗証番号のテーブル（以下テーブルＢと略称）を登録する機能と前述テーブルＢを保持する機能を有している。利用者が携帯電話を使用して中継器に携帯電話番号を通知させた場合、中継器には前述テーブルＢと照合する機能があるため未登録の携帯電話から中継器への電話回線接続を防止する。また携帯電話を紛失した場合にその携帯電話を用いた利用者以外の人からの接続要求を想定して、中継器には電話回線接続時に携帯電話から利用者の暗証番号を入力するよう催促する機能およびその入力された暗証番号を前述テーブルＢと照合する機能がある。
【００１１】
第２の問題点を解決するための手段として、ＰＣを起動等させるパケットに毎回異なった暗号コードを添加することにより、パケットを不正コピー利用されることを無効にする。中継器がスタンバイ状態になった時に暗号コードを生成するための乱数値が更新され、この乱数値がパケットに含まれて中継器から各ＰＣのＬＡＮボードへ送信される。
【００１２】
【作用効果】
携帯電話から中継器への電話回線接続時に利用者が携帯電話番号の通知と暗証番号の入力を行い、中継器がそれらを照合することにより未登録の携帯電話から中継器への電話回線接続を防止でき、暗証番号を入力した利用者の携帯電話のみがＰＣの起動等を行うことができる。このとき、携帯電話番号や暗証番号は携帯電話のみ中継器に送信が可能である。また携帯電話番号は１つしか存在しないため、利用者が使用している携帯電話番号と同じ番号を持つ携帯電話の製造は事実上困難である。
【００１３】
パケットが不正にコピーされた場合、中継器は暗号コードを毎回変更する機能を有しているため、そのパケットが不正利用された場合、そのパケットを無効にでき不正なアクセスを防止できる。
【００１４】
【実施例】
（構成の説明）
次に、本発明の実施例について図面を参照して詳細に説明する。
【００１５】
図１は、本発明の中継器１の構成図である。中継器１は電話回線とＬＡＮに接続して使用する。メモリ１３には、ＬＡＮ２へ出力するパケットおよびメールのフォーム、また電話回線へ出力するパケットのフォームが予め記憶されており、中継器１からＰＣ３（図２）へパケット送信するとき、また中継器１から携帯電話へメール送信するとき、それらフォームはメモリ１３から読み取られる。まず中継器１とＰＣ３に電源を入れ立ち上がった後、中継器１とＰＣ３をＬＡＮ２接続しテーブルＢ登録ツールをＰＣ３にインストールする。利用者が表計算ソフト等にてテーブルＢを作成し、前述のテーブルＢ登録ツールによりテーブルＢはＰＣ３からＬＡＮ２経由して中継器１のメモリ１３に記憶できる。また中継器１が携帯電話に暗証番号、指示コードを入力するよう催促する際に、携帯電話に送信される音声データおよび携帯電話の画面に表示する内容もメモリ１３にあらかじめ記憶されている。中継器１からＰＣ３へ送信するパケットに暗号コードを添加するが、その暗号コード生成のため乱数発生器１６にて乱数値が生成されると、その乱数値もメモリ１３に記憶される。
【００１６】
図２は、中継器１とＰＣ３がＬＡＮ２に接続されている本発明のシステムのブロック図であり、ＬＡＮ２はルータ５を経由してインターネット４に接続されている。中継器１がパケットに暗号コードを添加させてセキュリティを強化しているため、インターネット４経由からＰＣ３を直接起動等させることはできない。利用者の携帯電話からのみ中継器１経由にてＰＣ３の起動等が可能である。
【００１７】
ＰＣ３のメイン電源が投入されていなくてもサブ電源駆動するＬＡＮボード３１がＰＣ３に内蔵されている。ＬＡＮボード３１はＰＣを起動させる機能、ＰＣをシャットダウンさせる機能、ＰＣ３における起動やシャットダウンがわかるＰＣ状態確認機能があり、前述の暗号コードがＬＡＮボード３１のファームウェアにて復号化され、その値が記憶された乱数値と合致する場合ＰＣ３の起動等ができる。また、このＬＡＮボード３１には中継器１から送信されるパケットを分析する機能、中継器１から送信される乱数値、利用者の携帯電話宛のメールアドレスおよび中継器１のＭＡＣアドレスを記憶するメモリと、前述の暗号コードを復号化する機能、携帯電話にメールを送信する機能、中継器１にパケットを送信する機能、ＰＣの電源を制御する機能、およびＰＣの状態を監視する監視チップがあり、ファームウェアにより監視チップのステイタス情報が読み取られる。またＰＣ３における起動またはシャットダウンが完了すると、起動完了信号またはシャットダウン完了信号がこの監視チップに伝送される。監視チップは前述信号の状態を逐次ステイタス情報に反映し、そのステイタス情報は保持される。
【００１８】
中継器１は携帯電話との電話回線接続時に、携帯電話番号通知要求パケット、暗証番号入力要求パケット、指示コード入力要求パケットを携帯電話に電話回線経由して送信するが、それらパケットが携帯電話にて受信できるよう利用者が電話会社とのオプション契約（以下Ｉ契約と称す）を行い、文字表示可能な画面が付いた携帯電話を利用する場合、中継器１から前述の暗証番号入力要求パケットが送信されると携帯電話の画面に暗証番号の入力を要求する内容が表示され、利用者は画面を見ながら携帯電話の入力キーを使い暗証番号を入力する。同様に中継器１から指示コードの入力を要求する内容が携帯電話の画面に表示されると、利用者は画面を見ながら携帯電話の入力キーを使い指示コードを入力する。利用者がＩ契約を結んでいない場合、利用者は中継器１からの音声指示により暗証番号および指示コードの入力を携帯電話の入力キーにて行う。
【００１９】
インターネットを経由するメールの受信機能を携帯電話に電話会社とオプション契約（Ｍ契約と称す）してある場合、中継器１またはＰＣ３から送信されるメールをインターネット４経由にて携帯電話にて受信でき、利用者は携帯電話の画面にてＰＣ３のＰＣの起動、シャットダウン等の状態がわかる。利用者がＭ契約を結んでいない場合、送信されるメールを携帯電話にて受信ができない。
【００２０】
ＬＡＮボード３１から中継器１や携帯電話に送信されるパケットおよびメールは前述の監視チップのステイタス情報を含んでいる。この時、ＰＣ３のメイン電源が切られていてもサブ電源駆動によりＬＡＮボード３１はパケットおよびメールを送信できる。
【００２１】
図３は、ＰＣ３のＭＡＣアドレスと利用者の携帯電話番号が１対１対応するテーブルＢの内容であり、ＰＣ３にて利用者は表計算ソフト等にてＭＡＣアドレス−携帯電話番号（中継器の電話番号を含む）−暗証番号のテーブルＢを作成し、テーブルＢ登録ツールを使用してテーブルＢがＰＣ３からＬＡＮ２経由して中継器１へ送信され前述のメモリ１３に記憶される。利用者は携帯電話番号を通知モードにして中継器１の電話番号に電話回線接続する。この時、携帯電話を非通知モードでは中継器１に接続できない。利用者が所有する携帯電話番号は固有でありＰＣ３の起動等の手段になる。
【００２２】
また、利用者の携帯電話が紛失した場合でも、その携帯電話を用いて利用者以外の人が入力する暗証番号が一致しなければ、携帯電話からＰＣ３の起動等ができない。
【００２３】
図４は、携帯電話、中継器１、ＰＣ３の間におけるプロトコルである。プロトコルにはスタンバイモード、ＰＣを起動させるモード、ＰＣをシャットダウンさせるモード、ＰＣの状態を確認するモードがある。中継器１は起動等のパケットをＰＣ３へ送信した後、電話代節約のため不要時の電話回線を切断する。また中継器１およびＬＡＮボード３１は携帯電話とインターネット４を経由して常に接続しているため、利用者の携帯電話のメールアドレス宛にいつでもメールを送信できる。
【００２４】
（動作の説明）
中継器１は電源が投入されるとスタンバイモードになる。すると、ＣＰＵ１４はメモリ１３に記憶されている中継器１の電話番号（図３＃０の欄参照）を読み取り、基地局との交信回路１１に伝える。アンテナ１０および基地局との交信回路１１は電話回線の基地局と交信を行う。
【００２５】
中継器１は図４に示すように最初はスタンバイモードになっているが、利用者の携帯電話が中継器１と電話回線接続されると電話回線接続モードに遷移する。その後、利用者の携帯電話から送信される指示コードにより起動モード、シャットダウンモード、ＰＣ状態確認モードのいずれかに遷移する。その後、指示完了モードに遷移し、また再びスタンバイモードに戻る。
【００２６】
ＰＣ３にて利用者が表計算ソフト等により図３のテーブルＢを作成する。中継器１がスタンバイモードの時、テーブルＢ登録ツールにてテーブルＢがＰＣ３から中継器１にパケット送信されると、テーブルＢはＬＡＮ２、ＬＡＮ  Ｉ／Ｆ１８、ＣＰＵ１４、メモリコントローラ１５を経由してメモリ１３に記憶される。その後、中継器１は乱数値を含んだパケットをＬＡＮ２経由にてＰＣ３へ送信し、中継器１と同じ乱数値がＬＡＮボード３１のメモリに記憶される。この乱数値は次のスタンバイモードになるまで変化しない。
【００２７】
以下は、利用者が電話会社とＩ契約およびＭ契約しており、中継器１およびＰＣ３から送信されるパケットおよびメールの内容を表示できる携帯電話を利用者が使用する場合についての説明である。
【００２８】
利用者が携帯電話番号を通知モードにて携帯電話から中継器１に電話回線接続すると、ＣＰＵ１４は利用者の携帯電話番号がテーブルＢに登録されているかの照合を行う。この時、利用者が携帯電話番号を非通知モードで接続しようとすると、基地局との交信回路１１は電話番号通知要求パケットを電話回線経由にて携帯電話に送信し、画面に通知モードにて接続するよう表示して利用者に促す。通知された携帯電話番号がテーブルＢに登録されている場合、ＬＡＮ  Ｉ／Ｆ１８はＬＡＮ２とのリンクチェックを行う。次に基地局との交信回路１１は暗証番号入力要求パケットを電話回線経由して携帯電話に送信し携帯電話の画面に暗証番号を入力するよう促し、利用者が画面を見ながら携帯電話の入力キーを使い暗証番号を入力すると、その暗証番号がパケットに含まれて電話回線を経由して中継器１に伝搬する。ＣＰＵ１４は通知された携帯電話番号に対応した暗証番号をメモリ１３から読み取り、暗証番号比較１２は利用者が入力した暗証番号と読み取った番号の比較を行う。このとき、暗証番号を比較して連続３回不一致した場合、携帯電話と電話回線接続しないセキュリティ機能がある。携帯電話と電話回線とが接続された場合、基地局との交信回路１１は指示コード入力要求パケットを電話回線経由して携帯電話に送信し携帯電話の画面に指示コードを入力するよう促し、利用者が画面を見ながら携帯電話の入力キーを使い指示コードを入力すると、その指示コードがパケットに含まれて携帯電話から電話回線を経由して中継器１に伝搬する。
【００２９】
次にＰＣ３を遠隔操作により起動させる動作を説明する。ＰＣ３を起動させる指示コードが基地局との交信回路１１を経由して入ってくると、コード認識１９にてＰＣ３を起動させる指示コードなのか分析をする。その指示がＰＣ３を起動させる命令の場合、ＣＰＵ１４に伝搬し、図４の起動モードのプロトコルを開始する。暗号化１７にてメモリ１３に記憶された乱数値をもとに暗号コードが生成され、ＣＰＵ１４はメモリ１３にてＬＡＮボード３１のＭＡＣアドレス、起動コード、暗号コードを含んだ起動パケットを生成する。そのパケットがＬＡＮ  Ｉ／Ｆ１８およびＬＡＮ２を経由してＰＣ３へ送信される。その直後、電話代節約のために基地局との交信回路１１は携帯電話との電話回線を切断する。
【００３０】
ＰＣ３にて前述の起動パケットを受信すると、ＬＡＮボード３１はパケットに添加されている暗号コードの復号化を行いＬＡＮボード３１のメモリに記憶されている乱数値と合致すると、ＬＡＮボード３１はＰＣ３のメイン電源を供給させＰＣ３が起動する。その後、ＰＣ３のＯＳ起動が完了すると起動完了信号がＬＡＮボード３１の監視チップに伝搬する。この時、監視チップのステイタス情報は「起動：完了」になる。ＬＡＮボード３１には携帯電話のメールアドレスと中継器１のＭＡＣアドレス（ＡＡ  ＢＢ  ＣＣ  ＤＤ  ＥＥ  ＦＦ）があらかじめ登録されているため、携帯電話にメールを送信する時、ＬＡＮボード３１は携帯電話のメールアドレスと監視チップのステイタス情報を含んだメールを生成し、そのメールはインターネット４を経由して利用者の携帯電話に送信される。ＰＣ３が起動するとＰＣ３を直接またはインターネット４経由にてアクセスできるが、携帯電話の画面にてＰＣ３が起動できたことを利用者は確認できる。またＬＡＮボード３１は中継器１のＭＡＣアドレスと監視チップのステイタス情報を含んだ完了パケットを生成し、そのパケットはＬＡＮ２を経由して中継器１に送信される。反対にＰＣ３がＬＡＮ２に接続されていなかったなどＰＣ３の起動に失敗するケースが考えられる。この時、中継器１は前述の完了パケットがＰＣ３から時間内に送信されない（タウムアウト）ことを確認して、中継器１にて監視チップのステイタス情報を「起動：未」にして起動失敗メールを生成し、中継器１からインターネット４を経由して携帯電話へ送信され、利用者は携帯電話の画面にてＰＣ３の起動失敗を知る。
【００３１】
前述の完了パケットがＰＣ３から中継器１へＬＡＮ２を経由して送信された後、中継器１はスタンバイモードになり乱数発生器１６にて乱数値を生成しメモリ１３に記憶されている乱数値が更新される。その後乱数値を含んだパケットが中継器１からＰＣ３へＬＡＮ２を経由して送信され、ＬＡＮボード３１のメモリに記憶されている乱数値も更新される。
【００３２】
次に、利用者がＰＣ３を遠隔操作によりシャットダウンさせる動作を説明する。起動モードと同様にＣＰＵ１４および暗証番号比較１２にて携帯電話番号および暗証番号の照合が行われた後、コード認識１９にて利用者から送信された指示コードがシャットダウンする命令と認識されると、図４のシャットダウンモードのプロトコルが開始され、メモリ１３にてＰＣ３のＭＡＣアドレス、シャットダウンする命令、暗号コードを含んだシャットダウンパケットが生成される。ＣＰＵ１４がそのパケットをＰＣ３へＬＡＮ２を経由して送信すると、ＬＡＮボード３１にてパケットに添加された暗号コードの復号化がされる。ＬＡＮボード３１のメモリに記憶された乱数値と復号化された値が合致するとＰＣ３のシャットダウンを開始する。その後、ＯＳのシャットダウンが完了すると、そのシャットダウン完了信号がＬＡＮボード３１の監視チップに伝搬し、ステイタス情報は「シャットダウン：完了」になり保持される。メイン電源が絶たれるが、監視チップのステイタス情報を含んだメールがＬＡＮボード３１からインターネット４を経由して携帯電話に送信され、利用者は携帯電話の画面を見てＰＣ３がシャットダウンされたことを知る。その後、監視チップのステイタス情報を含んだパケットがＬＡＮボード３１からＬＡＮ２を経由して中継器１に送信され、中継器１がそのパケットを受信すると、中継器１は再びスタンバイモードになり乱数発生器１６にて乱数値を生成しメモリ１３に記憶されている乱数値が更新される。また乱数値を含んだパケットが中継器１からＬＡＮ２を経由してＬＡＮボード３１に送信されると、ＬＡＮボード３１のメモリに記憶されている乱数値も同様に更新される。
【００３３】
最後に、利用者の携帯電話の画面にＰＣ３の状態を表示させる動作を説明する。前述の起動モード、シャットダウンモードと同様にＣＰＵ１４と暗証番号比較１２にて携帯電話番号および暗証番号の照合が行われ合致した後、コード認識１９にて利用者から送信された指示コードがＰＣ状態を確認する命令であると認識されると、図４のＰＣ状態確認モードのプロトコルが開始され、メモリ１３にてＰＣ３のＭＡＣアドレス、ＰＣ状態確認する命令、暗号コードを含んだパケットが生成される。ＣＰＵ１４がそのパケットを、ＬＡＮ２を経由してＰＣ３へ送信すると、ＬＡＮボード３１にてパケットに含まれている暗号コードの復号化がされる。ＬＡＮボード３１のメモリに記憶された乱数値と復号化された値が合致すると、携帯電話のメールアドレス、監視チップのステイタス情報を含んだＰＣ状態メールが生成される。そのメールがＬＡＮボード３１からインターネット４を経由して携帯電話に送信されると、利用者はＰＣ３の状態を携帯電話の画面にて把握できる。ＰＣが動作している場合のステイタス情報は「起動：完了」となり、ＰＣが故障等により起動しない場合のステイタス情報は「故障」となる。その後、ＬＡＮボード３１は中継器１のＭＡＣアドレス、監視チップのステイタス情報を含んだＰＣ状態パケットを生成し、そのパケットをＬＡＮ２を経由して中継器１に送信する。中継器１がそのパケットを受信すると、中継器１は再びスタンバイモードになり乱数発生器１６にて乱数値を生成しメモリ１３に記憶されている乱数値が更新される。乱数値を含んだパケットが中継器１からＬＡＮ２を経由してＰＣ３に送信されるとＬＡＮボード３１のメモリに記憶されている乱数値も更新される。
【００３４】
【発明の効果】
第１の効果は、利用者の携帯電話のみが利用者のＰＣに起動等ができる。
【００３５】
その理由は、携帯電話から中継器へ電話回線接続する時、中継器は携帯電話番号および暗証番号の照合を行うためセキュリティを強化することができるからである。
【００３６】
第２の効果は、ＰＣに起動等させるパケットの不正コピー利用を防止できる。
【００３７】
その理由として、中継器には暗号コードを生成するための乱数値を毎回更新する機能と、各ＰＣのＬＡＮボードへその乱数値をパケット送信する機能と、ＰＣ起動等させるパケットに乱数値をもとに生成した暗号コードを添加する機能とを有して、そのパケットに添加された暗号コードを解読して得られた乱数値とＰＣのＬＡＮボードに記憶されている乱数値とを照合する機能を有しているためである。
【図面の簡単な説明】
【図１】本発明による一実施例の中継器の構成を示すブロック図である。
【図２】図１に示す中継器とＰＣをＬＡＮに接続した構成を示す本発明のシステムのブロック図である。
【図３】本発明の一実施例による、ＰＣのＭＡＣアドレスと携帯電話番号と暗証番号との１対１の対応を示すテーブル（テーブルＢ）。
【図４】本発明による一実施例による、携帯電話、中継器、ＰＣ間の、各モードにおけるプロトコルを表したものである。
【符号の説明】
１．．．中継器
２．．．ＬＡＮ
３．．．ＰＣ
４．．．インターネット
５．．．ルータ
１０．．．アンテナ
１１．．．基地局との交信回路
１２．．．暗証番号比較
１３．．．メモリ
１４．．．ＣＰＵ
１５．．．メモリコントローラ
１６．．．乱数発生器
１７．．．暗号化
１８．．．ＬＡＮ  Ｉ／Ｆ
１９．．．コード認識
３１．．．ＰＣに内蔵されているＬＡＮボード
【図１】
0003631686.tif 000002
【図２】
0003631686.tif 000003
【図３】
0003631686.tif 000004
【図４】
0003631686.tif 000005